(57)【特許請求の範囲】
【請求項１】
無線通信装置において、
着信処理を優先するか、発信処理を優先するかを示す情報を記憶する記憶手段と；
着信処理と発信処理との衝突を判別する衝突判別手段と；
上記記憶手段に記憶されている情報が、発信処理の優先を示す情報である場合に、上記衝突判別手段が上記着信処理と発信処理との衝突を判別すると、着信相手の識別情報と該着信に関する伝送能力とを記憶し、また、発信処理を実行する第１発信手段と；
上記第１発信手段が実行した発信処理の通信が終了すると、上記記憶した着信相手の識別情報と該着信に関する伝送能力とに基づいて、上記着信相手に発信する第２発信手段と；
上記記憶手段に記憶されている情報が、着信処理の優先を示す情報である場合に、上記衝突判別手段が上記着信処理と発信処理との衝突を判別すると、発信相手の識別情報と伝送能力とを記憶し、また、着信処理を実行する着信手段と；
上記着信手段が実行した着信処理の通信が終了すると、上記記憶した発信相手の識別情報と伝送能力とに基づいて、上記発信相手に発信する第３発信手段と；
を有することを特徴とする無線通信装置。
【請求項２】
請求項１において、
上記第１発信手段は、着信を通知した基地局に着信相手に対する切断を行わせ、また、上記発信処理を実行することを特徴とする無線通信装置。
【請求項３】
請求項１において、
上記第１発信手段は、基地局からの着信通知を受信してから一定時間が経過した後に該基地局と接続し、上記発信処理を実行することを特徴とする無線通信装置。
【請求項４】
請求項１において、
上記第１発信手段は、発信処理と衝突した着信に対して、他の無線通信装置が応答した後に、上記発信処理を実行することを特徴とする無線通信装置。
【請求項５】
請求項１において、
上記第１発信手段は、着信相手の識別情報と該着信に関する伝送能力とを記憶した後に、該着信に対する切断を基地局に要求し、また、上記発信処理を実行することを特徴とする無線通信装置。
【請求項６】
請求項１において、
上記記憶手段は、着信処理の通信種別と発信処理の通信種別とに対応させて、着信処理を優先するか、発信処理を優先するかを示す情報を記憶することを特徴とする無線通信装置。
【請求項７】
着信処理を優先するか、発信処理を優先するかを示す情報を記憶する無線通信装置の制御方法において、
着信処理と発信処理との衝突を判別する衝突判別工程と；
発信処理を優先する場合に、上記衝突判別工程において上記着信処理と発信処理との衝突が判別されると、着信相手の識別情報と該着信に関する伝送能力とを記憶し、また、発信処理を実行する第１発信工程と；
上記第１発信工程において実行された発信処理の通信が終了すると、上記記憶した着信相手の識別情報と該着信に関する伝送能力とに基づいて上記着信相手に対して発信する第２発信工程と；
着信処理を優先する場合に、上記衝突判別工程において上記着信処理と発信処理との衝突が判別されると、発信相手の識別情報と伝送能力とを記憶し、また、着信処理を実行する着信工程と；
上記着信工程において実行された着信処理の通信が終了すると、上記記憶した発信相手の識別情報と伝送能力とに基づいて上記発信相手に対して発信する第３発信工程と；
を有することを特徴とする無線通信装置の制御方法。
【発明の詳細な説明】
【０００１】
【発明の属する技術分野】
本発明は、無線通信装置および制御方法に関する。
【０００２】
【従来の技術】
従来より、無線通信を用いた移動局、たとえば、携帯電話やＰＨＳ（パーソナルハンディホンシステム）等において、音声通信、あるいは、みなし音声データ通信を主とした利用形態では、情報機器からの発信要求と無線基地局からの着信要求が同時に発生した場合、呼損を発生させないという方針から、着信を優先的に処理する手法がとられていた。
【０００３】
しかし、近年、特に簡易型携帯電話であるＰＨＳにおいては、非制限デジタルによる無線データ通信が規格化され、本機能を備えた情報機器が利用されつつある。またリアルタイムデータ転送も規格化が予定される等、電話としての機能にさらに付加価値をつけることも考慮されている。
【０００４】
このような音声無線通信とデジタルデータ無線通信の両機能を備えた情報機器では、データ通信を行う場合、ＰＣ（コンピュータ端末）と移動局とをカードで接続したり、音声の通信を行うためにイヤホンマイクを接続したりと、ユーザが利用したい通信種別に応じて機器の構成を変更する必要があった。またさらには複合端末、たとえば、ＰＨＳ＋デジタルカメラ、ＰＨＳ＋デジタルビデオカメラ等においては、撮影中は着信を受けたくないが、着信相手だけは知りたい等の要求もある。
【０００５】
【発明が解決しようとする課題】
しかしながら、上記従来の構成では、移動局が着信を優先的に処理するような構成になっている場合等、移動局および情報機器のデータ通信の準備ができた際に、音声による着信要求が無線基地局からあがった場合、音声通信を行うためにイヤホンマイクをセットして、なおかつデータ通信を取りやめなければならないという煩わしい操作をユーザが行う必要があった。
【０００６】
本発明は、発信と着信とが衝突した場合に、ユーザへのサービス性を落とすことなく、発信と着信との処理を行うことを目的とする。
【０００７】
【課題を解決するための手段】
本発明は、無線通信装置において、着信処理を優先するか、発信処理を優先するかを示す情報を記憶する記憶手段と、着信処理と発信処理との衝突を判別する衝突判別手段と、上記記憶手段に記憶されている情報が、発信処理の優先を示す情報である場合に、上記衝突判別手段が上記着信処理と発信処理との衝突を判別すると、着信相手の識別情報と該着信に関する伝送能力とを記憶し、また、発信処理を実行する第１発信手段と、上記第１発信手段が実行した発信処理の通信が終了すると、上記記憶した着信相手の識別情報と該着信に関する伝送能力とに基づいて、上記着信相手に発信する第２発信手段と、上記記憶手段に記憶されている情報が、着信処理の優先を示す情報である場合に、上記衝突判別手段が上記着信処理と発信処理との衝突を判別すると、発信相手の識別情報と伝送能力とを記憶し、また、着信処理を実行する着信手段と、上記着信手段が実行した着信処理の通信が終了すると、上記記憶した発信相手の識別情報と伝送能力とに基づいて、上記発信相手に発信する第３発信手段とを有することを特徴とする無線通信装置である。
【００１６】
【発明の実施の形態および実施例】
図１は、本発明を実施したシステム全体の構成を示すブロック図である。
【００１７】
同図において、ＰＨＳ移動局１００は、携帯情報機器１０１に設けられ、ＰＨＳ基地局１０２との間で無線通信を行う。また、ＰＨＳ基地局１０２は、有線で交換機１０３に接続され、交換機１０３はデジタル公衆通信網１０４に接続されている。
【００１８】
図２は、ＰＨＳ移動局１００および携帯情報機器１０１の詳細な構成を示すブロック図である。
【００１９】
同図において、ＰＨＳ部２００はＰＨＳ移動局１００を構成し、アプリケーション部２１０およびマンマシンインタフェース２１１は携帯情報機器１０１を構成している。
【００２０】
無線ＲＦ部２０１は、アンテナを介して無線伝送を行うものであり、フレーマ／デフレーマ部２０２は、ＰＨＳのＴＤＭＡ処理および非制限デジタルＰＩＡＦＳのフレーミング／デフレーミング処理を行うものである。
【００２１】
制御部２０３は、ＰＨＳ部２００全体の制御を行うものであり、コーデック部２０４は、音声処理を行うものである。また、ＴＸ−ＳＩＧ２０５は、フレーマ／デフレーマ部２０２から無線ＲＦ部２０１への送信データであり、ＲＸ−ＳＩＧ２０６は、無線ＲＦ部２０１からフレーマ／デフレーマ部２０２への受信データである。ＲＡＭ２０７は、各種データを格納する領域を有する。
【００２２】
アプリケーション部２１０は、ＰＣや携帯情報端末やデジタルカメラ等の情報機器部である。Ｃ−ＴＸＤ２２０は、アプリケーション部２１０からＰＨＳ部２００への制御データであり、Ｃ−ＲＸＤ２２１は、ＰＨＳ部２００からアプリケーション部２１０への制御データである。Ｄ−ＲＸＤ２２２は、ＰＨＳ部２００からアプリケーション部２１０へのデータであり、Ｄ−ＴＸＤ２２３はアプリケーション部２１０からＰＨＳ部２００へのデータである。
【００２３】
なお、ＰＨＳ移動局１００（ＰＨＳ部２００）と携帯情報機器１０１（アプリケーション部２１０）は、同一の筐体内に収納されたものであってもよいし、別ユニットに形成されて信号線ケーブルで接続されていてもよい。
【００２４】
図３（１）は、本発明の第１実施例で用いる発信／着信通信優先格納エリアテーブルを示す説明図であり、図３（２）は、本発明の第２実施例で用いる発信／着信通信優先格納エリアテーブルを示す説明図である。これらテーブルは、例えばＲＡＭ２０７内に設けられている。
【００２５】
そして、図３（１）に示すように、発信／着信通信優先格納エリア３００には発信優先あるいは着信優先指示が格納されている。
【００２６】
一方、図３（２）に示す発信／着信通信優先格納エリア３０１には、自端末からの発信／自端末への着信と、その通信種別（音声／データ／リアルタイム等）の組み合わせによって、発信処理あるいは着信処理のいずれを優先させるかが格納されている。
【００２７】
図４（１）は、本発明の第１実施例で用いる着信相手の発番号および通信データ種別（伝達能力等）を格納するエリアを示す説明図であり、図４（２）は、本発明の第２実施例で用いる自端末からのＡＴＤ発信の場合の相手先電話番号および通信データ種別（伝達能力等）を格納するエリアを示す説明図である。
【００２８】
図４（１）に示すように、発番号１−Ｎが格納されているエリア４０１には、着信時に獲得した相手の電話番号が格納されており、通信データ種別の格納エリア４０２（音声／データ／リアルタイム種別）には、着信時に獲得した相手の要求する通信データの種別が格納されている。
【００２９】
一方、図４（２）に示すように、電話番号１−Ｎが格納されているエリア４０３には、ＡＴＤ発信時に指定した相手の電話番号が格納されており、通信データ種別の格納エリア４０４（音声／データ／リアルタイム種別）には、発信時に要求した通信データの種別が格納されている。
【００３０】
また、図５〜図９は、本発明の第１実施例で用いる通信シーケンスを示す図であり、図５は、ＲＣＲＳＴＤ２８に準拠した携帯情報機器から発信する場合の携帯情報機器とＰＨＳ移動局およびＰＨＳ基地局の処理の流れを表す通常の発信シーケンス図である。
【００３１】
また、図６は、ＲＣＲＳＴＤ２８に準拠した携帯情報機器へ着信する場合の携帯情報機器とＰＨＳ移動局およびＰＨＳ基地局の処理の流れを表す通常の着信シーケンス図である。
【００３２】
また、図７は、携帯情報機器からの発信と携帯情報機器への着信とが衝突した場合、着信拒絶を実現するための１つの方法となる、携帯情報機器とＰＨＳ移動局およびＰＨＳ基地局の動作の流れを表すシーケンス図である。
【００３３】
また、図８は、携帯情報機器からの発信と携帯情報機器への一斉着信とが衝突した場合、着信拒絶を実現するための１つの方法となる、携帯情報機器とＰＨＳ移動局およびＰＨＳ基地局の動作の流れを表すシーケンス図である。
【００３４】
また、図９は、携帯情報機器からの発信と携帯情報機器への着信とが衝突した場合、着信相手の電話番号および通信データ種別を獲得した上で、着信拒絶を実現するための１つの方法となる、携帯情報機器とＰＨＳ移動局およびＰＨＳ基地局の動作の流れを表すシーケンス図である。
【００３５】
以下、本発明の第１実施例における動作について説明する。
【００３６】
図５に示すように、ＲＣＲＳＴＤ２８に準拠した通常の発信シーケンスを起動するには、まず、アプリケーション部２１０（以下、ＡＰＬという）よりＡＴＤによる発信を行い（５０１）、無線基地局１０２（以下、ＣＳという）に無線リンクの確立を要求する（５０２）。これを受けた無線基地局は、空き通信チャネルを検索し、その結果をリンクチャネル割当としてＰＨＳ部２００（以下、ＰＨＳという）に通知する（５０３）。
【００３７】
ＰＨＳは、割り当てられた通信チャネルでＡＴＤのパラメータとなる着信先電話番号および通信データ種別（伝達能力等）を設定し、ＣＳに対して呼設定を送信する（５０４）。
【００３８】
それからいくつかのシーケンスを経過し、通信相手先と接続された際に、ＰＨＳは、ＡＰＬに対して接続を表すＣＯＮＮＥＣＴを通知し通信を行う。
【００３９】
一方、図６に示すように、ＲＣＲＳＴＤ２８に準拠した通常の着呼シーケンスを起動するには、まずＰＨＳがＣＳから着呼信号を受ける（６０１）。これを受けたＰＨＳは、ＣＳに対して無線リンクの確立を要求する（６０２）。これを受けたＣＳは、空き通信チャネルを検索し、その結果をリンクチャネル割当としてＰＨＳに通知する（６０３）。
【００４０】
次にＰＨＳとＣＳの間で通信チャネルの同期を確立し、ＣＳはＰＨＳに対して発信者番号および通信データ種別（伝達能力等）が入っている呼設定を受信する。（６０４）
それからいくつかのシーケンスを経過し、ＡＰＬに対して着信があった旨を表すＲＩＮＧを通知する（６０５）。これに応答すべくＡＰＬは、ＰＨＳにＡＴＡを送信し（６０６）、通信相手先と接続された際に、ＰＨＳはＡＰＬに対して接続を表すＣＯＮＮＥＣＴを通知し（６０７）通信を行う。
【００４１】
図１０は、本発明の第１実施例において、携帯情報機器からの発信と、携帯情報機器への着信が衝突した場合に、格納エリア３００にある発信優先／着信優先に応じて発信を優先するか着信を優先するかを決定し、実行する場合の動作を示すフローチャートである。
【００４２】
まず、発信／着信処理に衝突が発生したかどうかを調べ（１０００）、衝突がない場合には、いずれかの処理を行う（１００２）。衝突が発生した場合には、まず格納エリア３００をチェックし、発信優先か着信優先かを調べる（１００３）。
【００４３】
ここで、発信が優先の場合には、着信相手の発番号を格納エリア４０１に格納し、着信相手の通信データ種別を格納エリア４０２に格納し（１００６）、発信処理を起動する（１００８）。そして、通信から切断を経て発信動作を終了する（１０１０）。
【００４４】
次に先程格納した着信相手の情報を基に格納エリア４０１の電話番号に対して格納エリア４０２の通信データ種別で発信を行い（１０１２）、通信を行う（１０１４）。
【００４５】
また、着信が優先の場合には、ＡＴＤ発信の電話番号を格納エリア４０３に格納し通信データ種別を格納エリア４０４に格納し（１００７）、着信の処理を進める（１００９）。そして通信を行い、着信処理が終了したら（１０１１）、続けて先程格納した格納エリア４０３の電話番号に対して、格納エリア４０４の通信データ種別で発信を行う。
【００４６】
次に、発信と着信が衝突した場合に着信拒絶を実現する場合のシーケンスについて説明する。
【００４７】
最初に図７に示すように、まずＡＰＬよりＡＴコマンドにより発信（ＡＴＤ）を行った際に（７０１）、ＰＨＳに対してＣＳから着呼が送信され（７０２）、その結果ＡＰＬからの発信要求とＣＳからの着信要求が重なった場合に、格納エリア３００に発信を優先して行うように設定してあるとして、即座にＰＨＳがリンクチャネル確立要求をＣＳに対して送信した場合には、ＰＨＳとしては発信を行ったつもりでいても、ＣＳとしては着信に応答したと判断し、この場合、ＣＳは着信相手と通信を継続して行い、その結果、ＰＨＳとＣＳとの間に状態の不整合が発生してしまう。
【００４８】
これを防ぐために、ＣＳが着信相手に対して切断を行う時間（着呼不応答とみなす時間：ＲＣＲＳＴＤ２８記載のＴＲ３０１Ｃ−４秒）だけ、タイマによりＰＨＳでリンクチャネル確立要求を出さないで処理をとどめておく。その間、発信待機中を表す信号をＡＰＬに対して送信する（７０３）。そして、上記タイマのタイムアウト後（７０５）、着呼不応答ということで網側の切断が発生する（７０６）。
【００４９】
ＰＨＳでは、上記ＣＳが着呼不応答とみなす時間である４秒のタイムアウトの後（７０４）、発信に係る動作を行うことにより、発信優先の通信を実現する（７１０）。
【００５０】
また、図８に示すように、まずＡＰＬよりＡＴコマンドにより発信（ＡＴＤ）を行った際に（８０１）、ＰＨＳ部２００（以下、ＰＨＳ１という）に対してＣＳより一斉着信が発生し（８０２ａ、８０２ｂ）、その結果、ＡＰＬからの発信要求とＣＳからの着信要求が重なった場合に、格納エリア３００に発信を優先して行うように設定してあるとして、即座にリンクチャネル確立要求をＣＳに対して送信した場合には、ＰＨＳ１としては発信を行ったつもりでいても、ＣＳとしては着信に応答したと判断し、この場合、ＣＳは着信相手と通信を継続して行い、その結果、ＰＨＳ１とＣＳとの間に状態の不整合が発生してしまう。
【００５１】
これを防ぐために、他のＰＨＳ子機（以下、ＰＨＳ２という）が一斉着信に応答した場合には、このＰＨＳ２とＣＳの間で一斉着信のシーケンス（図５参照）が走り（８０３、８０４、８０５）、ＰＨＳ１は一斉着信の停止信号を受信した後に（８０６）、ＣＳとの間で発信のシーケンス（図３参照）を起動し、望みの発信処理にて通信を行う（８０７、８０８、８０９、８１０）。
【００５２】
また、図９に示すように、まずＡＰＬよりＡＴコマンドにより発信（ＡＴＤ）を行った際（９０１）に、ＰＨＳに対してＣＳより着信が発生し（９０２）、その結果、ＡＰＬからの発信要求とＣＳからの着信要求が重なった場合に、格納エリア３００に発信を優先して行うように設定してあるものとすると、ＡＴＤ発信のパラメータとなる電話番号を格納エリア４０３に格納し、ＡＴコマンドにより判別可能である通信データ種別を格納エリア４０４に格納し、着信のシーケンスを行う（９０３、９０４）。
【００５３】
そこで、ＣＳから呼設定を受信したとき（９０５）、着信相手の発番号を格納エリア４０１に格納し、伝達能力に含まれる通信データ種別を格納エリア４０２に格納した後、着信にて起動した呼を切断する（９０６、９０７）。そして、切断が完了したら、先程処理を保留したＡＴＤを起動し、格納エリア４０３および格納エリア４０４を基に発信を行い（９０８、９０９、９１０）、ＡＴＤ発信による通信を確立させる（９１１）。
【００５４】
そして、この通信が終了したら、ＡＰＬから切断を表すＡＴコマンドＡＴＨを発行し（９１２）、切断を行う。続いて先程格納エリア４０３および格納エリア４０４に格納してある情報を基に、着信を拒絶した相手に対して自動発信を行い、通信を行う（９１４、９１５）。このとき着信相手に自動発信を行う旨をＰＨＳからＡＰＬに対して通知する（９１４）。
【００５５】
以上のように、発信、着信が衝突した場合の処理において、発信を優先的に処理した場合でも着信相手と再び通信を行うことができ、また着信を優先的に処理した場合でも、着信に応答後も自動で発信処理を行うことができるという効果がある。
【００５６】
次に、本発明の第２実施例における動作について説明する。
【００５７】
図１１は、この第２実施例において、携帯情報機器からの発信と携帯情報機器への着信とが衝突した場合に、格納エリア３０１にあるそれぞれの通信データ種別に応じて発信を優先するか着信を優先するかを決定し、実行する場合の動作を示すフローチャートである。
【００５８】
また、図１２は、携帯情報機器からの発信と携帯情報機器への着信とが衝突した場合に、それぞれの通信データ種別に応じて発信を優先した場合のシーケンス図である。
【００５９】
さらに、図１３は、携帯情報機器からの発信と、携帯情報機器への着信が衝突した場合に、それぞれの通信データ種別に応じて着信を優先した場合のシーケンス図である。
【００６０】
図１１に示すように、まず、発信／着信処理に衝突が発生したかどうかを調べ（１１００）、衝突がない場合には、いずれかの処理を行う（１１０２）。また、衝突が発生した場合には、ＡＴＤ発信のデータ種別と着信のデータ種別を記憶し（１１０１）、格納エリア３０１を参照する（１１０３）。ここで図３（２）を参照して、たとえば自端末からの発信がリアルタイムデータ通信で、自端末への着信が音声通信であったとすると、図３（２）に示すように、この場合は、発信処理が優先となる（１１０３）。あとは図１０の処理と同様である。
【００６１】
次に、シーケンスを例にとって詳細な説明をする。
【００６２】
図１２に示すように、まずＡＰＬよりＡＴコマンドにより発信（ＡＴＤ）を行った際（１２００）に、ＰＨＳに対してＣＳより着信が発生し（１２０１）、その結果、ＡＰＬからの発信要求とＣＳからの着信要求とが重なった場合には、まずは着信処理をすすめ、ＰＨＳがＣＳから呼設定を受信する（１２０２）。
【００６３】
このとき、ＡＴＤ発信の通信データ種別とＣＳからの呼設定に含まれる通信データ種別を獲得し、格納エリア３０１を参照する。そこで、発信優先と設定されている場合に、ＰＨＳはＣＳに対して呼設定受付ではなく解放完了を送信し（１２０３）、無線チャネルの切断を行う（１２０４）。これにより着信を一旦拒絶し、先程のＡＰＬからの要求である発信処理を行う（１２０５、１２０６、１２０７、１２０８）。また、通信終了にあたり、ＡＰＬはＡＴＨによって切断を行う（１２０９）。
【００６４】
次に、先程１２０２において獲得した着信相手の電話番号（格納エリア４０１）および通信データ種別（格納エリア４０２）を基に、自動で発信を行い（１２１１、１２１２）、このときＡＰＬに対しても、先程の着信拒絶相手に対して自動で発信操作を行った旨を通知し（１２１３）、通信を行う。
【００６５】
逆に、図１３に示すように、まずＡＰＬよりＡＴコマンドにより発信（ＡＴＤ）を行った際（１３００）に、ＰＨＳに対してＣＳより着信が発生し（１３０１）、その結果、ＡＰＬからの発信要求とＣＳからの着信要求が重なった場合に、まずは着信処理をすすめ、ＰＨＳがＣＳから呼設定を受信する（１３０２）。
【００６６】
このとき、ＡＴＤ発信の通信データ種別とＣＳからの呼設定に含まれる通信データ種別を獲得し、格納エリア３０１を参照する。そこで、着信優先と設定されている場合に、ＰＨＳはＣＳに対して呼設定受付を送信し（１３０３）、ＡＰＬに対しては、着信表示となるＲＩＮＧを送信する（１３０４）。
【００６７】
ＡＰＬは、応答コマンドとなるＡＴＡを送信し（１３０５）、通信を行う（１３０６）。また、通信終了時には、切断を表すＡＴＨをＰＨＳ部に送信し（１３０７）、無線チャネルの切断を行う。
【００６８】
次に、先程１３００において保留してあるＡＴＤを起動し（１３０８）、先程ＡＴＤで指定された電話番号、および、このときＰＨＳからＡＰＬに対して処理を保留していた発信を起動した旨を通知し（１３０９）、通信を行う（１３１０）。
【００６９】
以上のようにして、発信と着信が衝突した場合の処理において、通信データ種別に応じて発信および着信の優先処理を決定でき、また発信を優先的に処理した場合でも着信相手と再び通信を行うことができ、また着信を優先的に処理した場合でも着信に応答後も自動で発信処理を行うことができるという効果がある。
【００７０】
次に、本発明の第３実施例について説明する。
【００７１】
上述した第１、第２実施例では、発信と着信の衝突時の処理を挙げたが、着信時に着信相手が要求するデータ種別に応じて、着信を受けるか拒絶するかを判断することも可能である。
【００７２】
図１４に示すように、ＡＰＬから通信データ種別がリアルタイム着信のみ着信可能を示す指示が来たとする（１４００）。ＰＨＳに対してＣＳより着信が発生し（１４０１）、着信処理をすすめ、ＰＨＳがＣＳから呼設定を受信する（１４０２）。そのとき通信データ種別を獲得し、該通信データ種別が着信処理する設定か着信拒絶する設定かを調べる。
【００７３】
ここで着信処理の設定であれば、図６にある着信処理を行い、着信拒絶の設定であれば着信の切断を行い（１４０３）、無線チャネルの切断を行う。このとき、ＡＰＬ部に着信相手の電話番号と通信データ種別を送信する（１４０４）。
【００７４】
以上のようにして、機器の状態により、ある特定のデータ通信種別以外は着信を受けたくないような場合でも、着信を拒絶し、かつ、着信相手の電話番号と通信データ種別をアプリケーションに通知できるという効果がある。
【００７５】
なお、以上の各実施例では、ＰＨＳ通信を前提として挙げているが、ＰＨＳのみならずＧＳＭ、携帯電話等他の規格においても、同様の実施例を適用して、同様の効果を得ることができる。
【００７６】
以上説明したように上記説明によれば、以下のような効果を得ることができる。
（１）音声通信およびデータ通信の両者を行うことができるような無線通信装置において、従来になかった発信および着信優先処理をサービス性を落すことなく行いたいという要求を実現することが可能である。
（２）規格化なされているプロトコルに準拠した上での発信着信優先処理であるため、無線基地局や網に対して変更を加えることなくサービスが実現できる。
（３）データ種別毎に発信および着信処理の優先を決定することが可能となるので、突然の着信に対してもそのときの機器状態に応じたサービスの実現が可能である。
（４）通信データ種別に応じて、着信を拒絶／許可できるので、アプリケーション部との連動によって、現在、着信要求があった通信データ種別をユーザが受ける準備ができているかどうかが分かり、かつ拒絶した場合にでも、後で折り返しその相手に対して発信動作が可能である。
【発明の効果】
本発明によれば、着信処理と発信処理とが衝突したときに、発信処理を優先する場合には、発信処理を実行し、発信の通信が終了すると着信の際に記憶した着信相手の識別情報と該着信に関する伝送能力とに基づいて着信相手に対して発信し、一方、着信処理を優先する場合には、着信処理を実行し、着信の通信が終了すると、発信相手の識別情報と伝送能力とに基づいて発信相手に発信するので、着信処理と発信処理とが衝突した場合であっても、通信が行われなかった相手との間で、着信処理と発信処理との際に要求された伝送能力に基づく通信を行うことができるという効果を奏する。
【図面の簡単な説明】
【図１】本発明の実施例におけるシステム全体の構成を示すブロック図である。
【図２】上記実施例におけるＰＨＳ移動局および携帯情報機器の詳細な構成を示すブロック図である。
【図３】（１）は、本発明の第１実施例で用いる発信／着信通信優先格納エリアテーブルを示す説明図であり、（２）は、本発明の第１実施例で用いる発信／着信通信優先格納エリアテーブルを示す説明図である。
【図４】（１）は、本発明の第１実施例で用いる着信相手の発番号および通信データ種別（伝達能力等）を格納するエリアを示す説明図であり、（２）は、本発明の第２実施例で用いる自端末からのＡＴＤ発信の場合の相手先電話番号および通信データ種別（伝達能力等）を格納するエリアを示す説明図である。
【図５】本発明の第１実施例で用いるＲＣＲＳＴＤ２８に準拠した携帯情報機器から発信する場合の携帯情報機器とＰＨＳ移動局およびＰＨＳ基地局の処理の流れを表す通常の発信シーケンス図である。
【図６】本発明の第１実施例で用いるＲＣＲＳＴＤ２８に準拠した携帯情報機器へ着信する場合の携帯情報機器とＰＨＳ移動局およびＰＨＳ基地局の処理の流れを表す通常の着信シーケンス図である。
【図７】本発明の第１実施例で用いる携帯情報機器からの発信と携帯情報機器への着信とが衝突した場合、着信拒絶を実現するための１つの方法となる、携帯情報機器とＰＨＳ移動局およびＰＨＳ基地局の動作の流れを表すシーケンス図である。
【図８】本発明の第１実施例で用いる携帯情報機器からの発信と携帯情報機器への一斉着信とが衝突した場合、着信拒絶を実現するための１つの方法となる、携帯情報機器とＰＨＳ移動局およびＰＨＳ基地局の動作の流れを表すシーケンス図である。
【図９】本発明の第１実施例で用いる携帯情報機器からの発信と携帯情報機器への着信とが衝突した場合、着信相手の電話番号および通信データ種別を獲得した上で、着信拒絶を実現するための１つの方法となる、携帯情報機器とＰＨＳ移動局およびＰＨＳ基地局の動作の流れを表すシーケンス図である。
【図１０】本発明の第１実施例において、携帯情報機器からの発信と、携帯情報機器への着信が衝突した場合に、図３（１）に示す格納エリアにある発信優先／着信優先に応じて発信を優先するか着信を優先するかを決定し、実行する場合の動作を示すフローチャートである。
【図１１】本発明の第２実施例において、携帯情報機器からの発信と携帯情報機器への着信とが衝突した場合に、図３（２）に示す格納エリアにあるそれぞれの通信データ種別に応じて発信を優先するか着信を優先するかを決定し、実行する場合の動作を示すフローチャートである。
【図１２】本発明の第２実施例で用いる携帯情報機器からの発信と携帯情報機器への着信とが衝突した場合に、それぞれの通信データ種別に応じて発信を優先した場合のシーケンス図である。
【図１３】本発明の第２実施例で用いる携帯情報機器からの発信と、携帯情報機器への着信が衝突した場合に、それぞれの通信データ種別に応じて着信を優先した場合のシーケンス図である。
【図１４】本発明の第３実施例で用いる通信データ種別に応じて携帯情報機器への着信を拒絶した場合のシーケンス図である。
【図１】
0003856415.tif 000002
【図２】
0003856415.tif 000003
【図３】
0003856415.tif 000004
【図４】
0003856415.tif 000005
【図５】
0003856415.tif 000006
【図６】
0003856415.tif 000007
【図７】
0003856415.tif 000008
【図８】
0003856415.tif 000009
【図９】
0003856415.tif 000010
【図１０】
0003856415.tif 000011
【図１１】
0003856415.tif 000012
【図１２】
0003856415.tif 000013
【図１３】
0003856415.tif 000014
【図１４】
0003856415.tif 000015